(57)【要約】【課題】  ジョガーの稼動音共鳴音の低減と、製造上の扱い易さと輸送コストの低減。【解決手段】  紙受け震動用のアンバランスウエイトを軸に備えたモータと、紙さばき用のブロワー、制御部等を７の紙受けベースの内部に組み込み、紙受け部を縦位置から横位置の間で任意に固定できる保持具を軸１１で回動自在に取付け、円弧状穴１２に貫通するレバー１３で保持具を固定するようにして、紙受けベース７内に全機能をまとめて共鳴空間を排除したものを、加震ユニットとしている。また１５ベースを基台とし、前記保持具との間を、支柱１４で支える形に取付けて、従来の大型角柱による支柱内の共鳴を排除した。また加震ユニットと支柱、ベースに分割できるので手扱いが容易になると共に、輸送のコストの低減が望める。【選択図】        図１
0003103159.tif 000002
【実用新案登録請求の範囲】
【請求項１】
多数枚のシート状用紙を、縦位置から横位置まで任意の姿勢で揃えることのできるジョ
ガー装置に於いて、全体の上部に揃える紙を受ける紙受けと、加震装置等で加震ユ二ット
を構成し、全体の下部に装置全体を支えるベースユニットを備え、ベースユニットと前記
加震ユニットの間を複数の支柱で連結し支えた形態のジョガー装置。
【考案の詳細な説明】
【技術分野】
【０００１】
本考案は印刷前また製本前の紙揃え、また紙加工前等の紙さばきと紙揃えに用いるジョ
ガー装置に関する。
【背景技術】
【０００２】
印刷また製本の前に紙を揃えると共に紙をさばくことは、それぞれ次の工程をスムーズ
に進めるために重要なことであり、紙受けを震動して紙を揃えるジョガーを用いることは
周知であるが、震動のみでは紙のくっつき等で揃いが悪く手作業で紙さばきを加えながら
ジョガーを使うことがあった。
【特許文献１】実用新案登録第３０６４１１８号公報
【０００３】
手作業で紙さばきを加えながら揃え作業をするをといった不便さを解消するために、本
考案者による紙の端面よりさばきのエアーを吹き込み素早く揃えるジョガーは、実用新案
第３０６４１１８号で開示されている。
【考案の開示】
【考案が解決しようとする課題】
【０００４】
紙揃えのための加震装置、さばきエアーのためのブロワー装置、また制御装置等から、
比較的装置が大形化することと、作業性から立ち作業形のスタンドタイプが一般的であり
縦型の箱型きょう体で構成し、その内部に前記装置を内臓することは製造上は有利に作用
していたが、きょう体の振動から発する騒音を防止する点は煩わしいものであった。
【０００５】
前述のようにジョガー全体の形が縦型で、比較的大型大重量化するために輸送時を始め
製造時にもその取扱いに難があり、コスト低減と共に改善点であった。
【課題を解決するための手段】
【０００６】
本考案はアンバランスウエイトを備えたモータによる加震装置と、従来縦型の箱型きょ
う体内部に設置していたエアー吐出用のブロワーを、加震装置の近傍に設置し、また制御
装置等も加震ユニット内部に設置するようにして、全てのジョガー機能をコンパクトにま
とめ加震ユニットを構成している。
【０００７】
本考案は前記加震ユニットを、ベースユニットに取付けた複数のパイプ状支柱で支えて、
ジョガー装置全体を構成した特徴を備える。
【考案の効果】
【０００８】
本考案によれば、紙受けを備える加震部に紙さばきのブロワーを備えているので、紙の
端面にエアーを送るダクトの経路が短くでき、エアーロスが減少しブロワーの小型化に寄
与すると共に、加震ユニットの空洞部が減少して共鳴等が起こり難く、加えてパイプ状支
柱で従来型の空洞部をもつ支柱部での共鳴から逃れられ、騒音が発生しないと言った効果
を奏する。
【０００９】
ベース部には、ジョガーを安定に支えるパイプ状の支柱を取付け、その上部に加震ユニ
ットを固着する形であるので、製造時にはユニット毎に手扱いが容易になり、また輸送時
には加震ユニットと支柱部品、それにベースユニットに分割してパッケージングでき、コ
ンパクトな荷姿で手扱いが容易になると言った効果を奏する。
【実施例】
【００１０】
本考案の実施例図１は操作側より見た略正面図であり、図２は従来形の略正面図を示し
ている。同等機能部は同一番号を割り当ててある。図１によって説明する。１は紙受け部
を示し、平面基準板２に対して立面基準板３Ａと３Ｂは垂直に取付けてある。立面基準板
３Ｂは３Ａに対して角度９０度を保って取付けてある。
【００１１】
揃える多数枚の紙はその表面を平面基準板に接し、紙の端面部を立面基準板３Ａと３Ｂ
で受けることになる。平面基準板２の裏面には図示しないモータが取付けてあり、その軸
にはアンバランスなウエイトを取付けてあってジョガーの震動源を構成している。
【００１２】
ガイド板４Ａと４Ｂは、紙を縦位置で紙揃えするときの紙倒れ防止である。エアー吐出
口５は立面基準板３Ａ、３Ｂそれぞれの面に長穴で構成した紙さばき用のエアー吹出口で
ある。カバー６Ａ、６Ｂは紙さばきのエアーをエアー吐出口５に案内するように立面基準
板３Ａと３Ｂの裏面から空気の漏れなく取付けられている。
【００１３】
紙受けベース７は箱型形状で、紙受けの平面基準板２に平行した面８を持ち、図示して
いないゴム質円柱で、面８と平面基準板２を連結し紙受けの震動を自由にしてある。紙受
けベース７の内部には、図示してないブロワーを備えている。チューブ９はブロワーの吐
出するエアーをカバー６Ａと６Ｂに案内するものである。１０は制御部であり紙受けベー
ス７の内部に電装部を備えている。
【００１４】
軸１１は、紙受け１が任意の位置で固定できるようにする保持具の回動軸で、パイプ状
の支柱１４は、その保持具に取付けてある。なお保持具は図示してない。円弧状穴１２は
レバー１３のねじ部が貫通し前記の保持具を紙受けベース７に固定するものである。従っ
て紙受け部１は、支柱１４に対して縦位置から横位置まで任意に固定できるようになる。
保持具等は左右それぞれに備えることは言うまでもなく、また保持具を紙受けベース７の
外面に備えてもよい。詳述したように紙受け部、さばき用ブロワーと制御部及び保持具等
で構成した一体を加震ユニットと呼んでいる。
【００１５】
ベース１５は装置全体の基台であり、支柱１４をねじで着脱自在にしてある。支柱１４
の取付け位置は、紙受けの横方向の震動を効果的に支える横位置がよく、円筒状のパイプ
の他、楕円状断面を持つもの、角柱等でもよく、必用な強度を備えたものであればよい。
また大型機でパイプ状支柱で震動に対して強度が不足するときは、パイプ間を別部品でＨ
形に連結することも効果的である。本実施例は支柱を取外すことで、前述したように加震
ユニットと支柱、ベースの３分割にできるので製造時、輸送時共にコスト低減の効果を奏
する。
【００１６】
本考案の効果を補助するために、従来形との差異を図２で説明する。制御部１０とブロ
ワーは支柱１４を構成する角柱内に取付けられてあり、チューブ９の経路も本考案の実施
例よりも長くなっていた。また解決しようとする騒音は、支柱内の共鳴もあり防止対策が
必要であったが、本考案では共鳴する要素を取り除いている。
【図面の簡単な説明】
【００１７】
【図１】本考案の実施例を示す斜視図である。
【図２】従来形の斜視図である。
【符号の説明】
【００１８】
１    紙受け部
３Ａ    立面基準板
３Ｂ    立面基準板
７    紙受けベース
５    エアー吐出口
９    チューブ
１０    制御部
１１    軸
１２    円弧穴
１３    レバー
１４    支柱
１５    ベース
【図１】
0003103159.tif 000003
【図２】
0003103159.tif 000004